【事件の表示】
　特許第３２０１３９８号「プロジェクタ」の請求項１、２に係る特許に対する特許異議の申立てについて、次のとおり決定する。
【結　論】
　訂正を認める。
　特許第３２０１３９８号の請求項１、２に係る特許を維持する。
【理　由】
１．手続の経緯
　特許第３２０１３９８号の請求項１、２に係る発明は、昭和６３年５月３１日に出願された特願昭６３−１３３８７２号の一部を平成７年３月２８日に新たな特許出願である特願平７−６９６８１号として出願し、さらにその一部を平成９年１０月２７日に新たな特許出願である特願平９−２９４０４４号として出願し、さらにその一部を平成１０年１１月９日に新たな特許出願である特願平１０−３１７６２６号として出願し、さらにその一部を平成１２年１月１１日に新たな特許出願として出願されたものであって、平成１３年６月２２日にその発明について特許権の設定登録がなされ、その後、その特許について、特許異議申立人中川裕人により特許異議の申立てがなされ、取消の理由が通知され、その指定期間内である平成１４年７月１５日に訂正請求がなされたものである。
　
２．訂正の適否についての判断
（１）訂正の内容
　特許権者が求めている訂正の内容は以下のア、イのとおりである。
ア．訂正事項ａ
　特許請求の範囲を「【請求項１】光源と、前記光源からの光を３つの色光に分離する複数のダイクロイックミラーを備えた光分離手段と、前記光分離手段により分離された色光をそれぞれ変調する複数の変調手段と、前記変調手段によって変調された色光を合成するプリズムと、前記プリズムにより合成された光を投写する投写手段と、前記変調手段の駆動を制御する駆動用制御回路と、を有するプロジェクタにおいて、内部に前記複数のダイクロイックミラーを備えた色分離手段が組み込まれ、前記投写手段を臨ませる窓が設けられたケース内に配置された導光管と、前記複数の変調手段が側面に沿って配置された前記プリズムと前記投写手段とが板部材に支持されてなる光学ヘッドユニットと、前記光学ヘッドユニットを空気によって冷却するファンと、を有し、前記導光管は、前記色分離手段によって分離された３つの色光を３方向から出射するコ字形状部を有し、前記コ字形状部に囲まれた空所に前記光学ヘッドユニットを配置してなり、前記駆動用制御回路の一部は、前記光学ヘッドユニットと重ならないように、前記導光管の上に配置されてなることを特徴とするプロジェクタ。
【請求項２】　前記駆動用制御回路は、アナログ回路ユニットとデジタル回路ユニットとを含んでおり、前記アナログ回路ユニットと前記デジタル回路ユニットのうちいずれか一方が、前記導光管の上に配置されてなることを特徴とする請求項１記載のプロジェクタ。」と訂正する。
イ．訂正事項ｂ
　明細書の段落【０００５】を「【課題を解決するための手段】本発明のプロジェクタは上記の目的を達成するために、光源と、前記光源からの光を３つの色光に分離する複数のダイクロイックミラーを備えた光分離手段と、前記光分離手段により分離された色光をそれぞれ変調する複数の変調手段と、前記変調手段によって変調された色光を合成するプリズムと、前記プリズムにより合成された光を投写する投写手段と、前記変調手段の駆動を制御する駆動用制御回路と、を有するプロジェクタにおいて、内部に前記複数のダイクロイックミラーを備えた色分離手段が組み込まれ、前記投写手段を臨ませる窓が設けられたケース内に配置された導光管と、前記複数の変調手段が側面に沿って配置された前記プリズムと前記投写手段とが板部材に支持されてなる光学ヘッドユニットと、前記光学ヘッドユニットを空気によって冷却するファンと、を有し、前記導光管は、前記色分離手段によって分離された３つの色光を３方向から出射するコ字形状部を有し、前記コ字形状部に囲まれた空所に前記光学ヘッドユニットを配置してなり、前記駆動用制御回路の一部は、前記光学ヘッドユニットと重ならないように、前記導光管の上に配置されてなることを特徴とする。また、前記駆動用制御回路は、アナログ回路ユニットとデジタル回路ユニットとを含んでおり、前記アナログ回路ユニットと前記デジタル回路ユニットのうちいずれか一方が、前記導光管の上に配置されてなることを特徴とする。
【作用】本発明の実施形態においては、以下の構成が説明される。」と訂正する。
　
（２）訂正の目的の適否、新規事項の有無、及び特許請求の範囲の拡張・変更の存否
　上記訂正事項ａは、特許請求の範囲の減縮及び明瞭でない記載の釈明を目的とする明細書の訂正に該当し、新規事項の追加に該当せず、また、実質上特許請求の範囲を拡張し、又は変更するものでもない。
　また、上記訂正事項ｂは、上記訂正事項ａの訂正に伴い、発明の詳細な説明の記載を適合させるものであるから、明瞭でない記載の釈明を目的とする明細書の訂正に該当し、新規事項の追加に該当せず、また、実質上特許請求の範囲を拡張し、又は変更するものでもない。
　
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き、第２項の規定に適合するので、当該訂正を認める。
　
３．特許異議申立てについての判断
（１）特許異議申立ての理由の概要
　特許異議申立人中川裕人は、特許第３２０１３９８号の請求項１、２に記載された発明は、甲第１号証〜甲第６号証に記載された発明に基づいて通常の知識を有する当業者であれば容易に発明し得たものであり、特許法第２９条第２項の規定に該当し、同法第１１３条第１項第２号の規定に基づいて取り消されるべきものである旨主張している。
　
（２）本件発明
　特許第３２０１３９８号の請求項１、２に係る発明（以下、それぞれ「本件発明１」、「本件発明２」という。）は、その特許請求の範囲の請求項１、２に記載された事項により特定される次のとおりのものである。
【請求項１】　光源と、前記光源からの光を３つの色光に分離する複数のダイクロイックミラーを備えた光分離手段と、前記光分離手段により分離された色光をそれぞれ変調する複数の変調手段と、前記変調手段によって変調された色光を合成するプリズムと、前記プリズムにより合成された光を投写する投写手段と、前記変調手段の駆動を制御する駆動用制御回路と、を有するプロジェクタにおいて、内部に前記複数のダイクロイックミラーを備えた色分離手段が組み込まれ、前記投写手段を臨ませる窓が設けられたケース内に配置された導光管と、前記複数の変調手段が側面に沿って配置された前記プリズムと前記投写手段とが板部材に支持されてなる光学ヘッドユニットと、前記光学ヘッドユニットを空気によって冷却するファンと、を有し、前記導光管は、前記色分離手段によって分離された３つの色光を３方向から出射するコ字形状部を有し、前記コ字形状部に囲まれた空所に前記光学ヘッドユニットを配置してなり、前記駆動用制御回路の一部は、前記光学ヘッドユニットと重ならないように、前記導光管の上に配置されてなることを特徴とするプロジェクタ。
【請求項２】　前記駆動用制御回路は、アナログ回路ユニットとデジタル回路ユニットとを含んでおり、前記アナログ回路ユニットと前記デジタル回路ユニットのうちいずれか一方が、前記導光管の上に配置されてなることを特徴とする請求項１記載のプロジェクタ。
　
（３）特許異議申立ての理由について
（３−１）引用刊行物
刊行物１：特開昭６２−２５８４９１号公報（甲第１号証）
刊行物２：特開昭６３−１０１２８号公報（甲第２号証）
刊行物３：特開昭６３−１２３０１９号公報（甲第３号証）
刊行物４：特開昭６２−２７０９６８号公報（甲第４号証）
刊行物５：実願昭６０−２３７９１号（実開昭６１−１４０３４５号）のマイクロフィルム（甲第５号証）
刊行物６：実願昭６１−１６６０６３号（実開昭６３−７３７２７号）のマイクロフィルム（甲第６号証）
（３ー２）刊行物に記載された発明
　刊行物１には、次の事項が記載されている。
「第１図は投写型カラー表示の斜視図であり、キャビネット１０には後述する光源を冷却するための吸気口１１と外部機器との接続をする端子やスイッチ類をまとめた操作パネル１２がある。投写レンズ２０はキャビネット１０より露出して固定されているが、キャビネット１０内に収容されてもよい。第２図は投写型カラー表示装置の上断面図、第３図は投写型カラー表示装置の側断面図であり、本発明の構成を説明するものである。ハロゲンランプ等による光源２１より発した白色光は、後方に行く光を前方に反射するリフレクター２２と集光レンズ２３により集光する。集光レンズ２３は焦点距離の短かいレンズをもちいて、光源２１との立体角を大きくすることにより集光効率を上げている。光源２１は集光レンズ２３の焦点位置に置くことにより集光レンズにより集光された光は平行光となり吸熱フィルター２４にて熱線を減少させてから色分解をおこなう。色分解はダイクロイックミラーでおこない、赤反射ダイクロイックミラー２５は光の赤の波長成分のみ反射し、青反射ダイクロイックミラー２６は光の青の波長成分のみ反射する。赤反射ダイクロイックミラー２５と青反射ダイクロイックミラーを通過した光は緑色成分の光となる。緑色成分の光は直接に緑色表示液晶パネル３１Ｇを照明するが、赤色および青色成分の光は焦点距離の長い第一のレンズ２７により赤色表示液晶パネル３１Ｒおよび青色表示液晶パネル３１Ｂの表示画素部３２の部分のみを照明するように集光される。反射鏡２８，２９はダイクロイックミラーを通過した光を液晶パネルまで導光するためのものである。また緑色成分の光は赤色成分および青色成分の光のように光路が長くなく損失が少ないので集光のためのレンズは用いていない。第２のレンズ３０は焦点が投写レンズ２０の内部または近傍となるようにすることにより液晶パネルの表示画素部３２を透過した光が効率よく投写レンズ２０に入光するため、口径比の小さな暗い投写レンズでも明るい映像を得ることができる。ダイクロイックプリズム３３は直角プリズムの斜面にダイクロイックミラーと同等の性能をもつ赤色反射層、青色反射層を蒸着したものを４個貼り合わせて使用する。赤色表示液晶パネル３１Ｒ、緑色表示液晶パネル３１Ｇ、青色表示液晶パネル３１Ｂによる映像はダイクロイックプリズムの反射面を反射または透過して合成映像を得ることができる。回路部３４はテレビジョン回路や液晶パネルの駆動回路および電源等であり、冷却ファン３５は光源２１より発生する熱を外部に排気するものである。」（第２頁右上欄第９行〜右下欄末行）
　上記記載および第２図の記載からみて、刊行物１には「光源と、前記光源からの光を色分解する赤反射ダイクロイックミラーと青反射ダイクロイックミラーからなるダイクロイックミラーと、ダイクロイックミラーにより色分解された光はそれぞれ赤色表示液晶パネル、緑色表示液晶パネル、青色表示液晶パネルを照明し、各液晶パネルによる映像から合成映像を得るダイクロイックプリズムと、前記ダイクロイックプリズムにより合成された映像を投写する投写レンズと、各液晶パネルの駆動回路とを有する投写型カラー表示装置」（以下、「引用発明」という。）が記載されているものと認められる。
　
　刊行物２には、次の事項が記載されている。
「このダイクロイックプリズム９に、前述の液晶ライトバルブ８Ｒ，８Ｇ，８Ｂを第１図に示す様に接着する。接着方法としては、バルサム，エポキシ系合成接着剤，ポリエステル系合成接着剤，紫外線硬化型合成接着剤等により貼り合わせる。接着剤は高透過率で屈折率は、貼り合わせる２つの物質の屈折率の値をこえない値をとることによって、境界面において光の反射を減少させることができ、結果的に明るい画像を得ることができる。ダイクロイックプリズム９の接着方法も同様である。アライメントとして、４個の直角プリズムのサイズがそろっていることで、投写レンズ１２から液晶ライトバルブ８Ｒ，８Ｇ，８Ｂまでの距離が一定となり、投写レンズ１２のバックフォーカスの位置に配置される。上下，左右の画素間の位置関係は、光源１の光を当てたり、レーザー光により位置合わせを行なう。液晶ライトバルブ８Ｒ，８Ｇ，８Ｂのそれぞれの画素がスクリーン上で重なり合うようにし、前述の方法で接着を行ない固定することにより、以後、画素ずれによる色ズレ，色ムラ等が発生せず、メインテナンスも不用となる。また従来では、アライメントのための機構を必要としていたが製造工程でアライメントをするだけでよいので、構造は簡単になる。液晶ライトバルブ８Ｒ，８Ｇ，８Ｂで画像形成された各色光は、ダイクロイックプリズム９で、赤光及び青光は反射し、緑光は透過して、フルカラー画像が合成される。合成された画像は、ブラウン管等の並置加法混色と異なり、本来の加法混色によって色表現されるため、非常に彩度の高い画像表示が行なわれる。またミラーとプリズムの２回の波長選択が行なわれるため、色純度の高い画像が得られる。投写レンズ１２は、口径比の大きなレンズを用いることで明るい画像表示が行なえる。回路部１４は、テレビジョン回路や、液晶ライトバルブ８Ｒ，８Ｇ，８Ｂの駆動回路及び電源回路等であり、冷却ファン１３は、光源２１より発生する熱を外部に排出するものである。次に、本発明の投射型カラー表示装置の他の実施例の平面図を示したのが第５図である、全体の構成は、前述の実施例と同様であるが、液晶ライトバルブ８Ｒ，８Ｇ，８Ｂの偏光板５０をとり、一枚は色分離のダイクロイックミラーの前に置き、他の一枚は、ダイクロイックプリズム９の出光面に、接着される。接着方法も前述した方法と同様にすることができる。この場合には、偏光された白色光を色分離し、画像変調し、合成する方法で、前述の実施例では偏光板が６枚必要であるのを、２枚に減少することができる。光の入射側の偏光板５０では、光の透過量が４５％程度以下で、その他の光は吸収され熱となり、液晶ライトバルブ８Ｒ，８Ｇ，８Ｂに悪影響を及ぼし、熱リークによるコントラスト悪化等により、画質が低下する。しかし、液晶ライトバルブ８Ｒ，８Ｇ，８Ｂから分離した位置に配置することで、熱の影響を減少させることができる。〔発明の効果〕以上述べたように本発明によれば以下のような効果を有する。液晶ライトバルブをダイクロイックプリズムに光学的に接着することで、アライメントのための微調整用の機構を必要としなくなるし、微調整も入らなくなり、構造が簡単になり、コストも下がり、メインテナンスが不用となる。」（第３頁左上欄第１７行〜第４頁左上欄第４行）
　
　刊行物３には、次の事項が記載されている。
「投影装置Ａの機能ユニットは、照明ユニット１，画像設置ユニット２及び投影レンズ設置ユニット３の複数の機能ユニットから成る。照明ユニット１は、照明光αを放出するために、例えば、ランプケース１ａ及びランプカバー１ｂ内に設置されたランプ（光源）１ｃと、ランプ１ｃから発光された光を集光する集光レンズ１ｄと、集光レンズ１ｄで集光した光を例えば８０°光路変更するために設けられた反射ミラー１ｅと、以後に詳述する投影レンズと組合せてうまく投影スクリーン（図省略）上に結像する位置に配置された集光フレネルレンズ１ｆとこれら各部を一体構造にまとめる構造のブラケット１ｇとから夫々構成されている。画像設置ユニット２は、ブラケット２ａと、ブラケット２ａ上に設けられた例えば３個のローラ２ｂと、この３個のローラ２ｂ上に支持された例えば円板状のイーゼルから成る形状で、透過画像を形成する透過型の液晶ディスプレイ４を止め金具２ｃ１を用いて取付けて、この取付時の捩れを液晶ディスプレイ４そのものをいじくることなく液晶位置調節つまみ２ｃ２を用いて３個のローラ２ｂ上を通常の振動等では動かない程度の堅さで尚且つ光軸周りに調節（回転）可能に支持される液晶取付部２ｃと、照明光αで照明された液晶ディスプレイ４の透過画像を例えば９０°光路変更させるために設けられた反射ミラー２ｄとから夫々構成されている。投影レンズ設置ユニット３は、画像設置ユニット２からの液晶ディスプレイ４の透過画像βを投影スクリーン上に所定の大きさに拡大投影するために、投影レンズ３ａと、投影レンズ３ａが例えば捩子で組付けられて投影画像の大小を投影レンズ焦点深度内で投影レンズ全体の上下位置を調整可能な例えば外側部分に捩子３ｂ１が刻まれた構造の投影レンズ取付・位置調整部３ｂと、投影レンズ取付・位置調整部３ｂが捩子３ｂ１が組付けられて１枚構成の台板Ｂに組付け可能な構造から成る投影レンズ設置フランジ３ｃとから構成されている。１枚構成の台板Ｂは、投影スクリーン上における投影画面どうしの位置合せを容易にするために、前記構成から成る投影装置Ａを４個（他の３個も同様の構成）組付けた時において、少なくともこれ等相互間の位置関係が調整可能に組付けられる構造から成る。尚、ここでは投影装置Ａの個々の機能ユニットの位置関係等も調整可能な構造に組付けられる場合を示す。即ち、この台板Ｂは、投影レンズ設置フランジ３ｃの位置関係が調整可能に組付けられるフランジ孔Ｂ１（径は例えば前後左右等に移動可能な大きさを有する。以下同様）と、フランジ孔Ｂ１に挿入された投影レンズ設置フランジ３ｃの位置が調整された後に固定するための捩子５が挿入可能な孔Ｂ２と、液晶位置調節つまみ２ｃ２が回転可能な幅・長さを有するつまみ調整用孔Ｂ３と、つまみ調整用孔Ｂ３に液晶位置調節つまみ２ｃ２が挿入され画像設置ユニット２の位置全体が光軸等の関係を含めて調整されて画像設置ユニット２を台板Ｂに固定するための捩子６が挿入可能な孔Ｂ４と、照明ユニット１を第したＢに固定するための捩子７が組付け可能な孔Ｂ５とを具備し（照明ユニット１，画像設置ユニット２及び投影レンズ設置ユニット３の位置は光軸等の関係を含めて調整されて各捩子５〜７で固定される）」（第２頁��上欄第１１行〜第３頁左上欄第１５行）
「以上、実施例と共に具体的に本発明を説明したように、投影装置の各構成部品を照明ユニット，画像設置ユニット及び投影レンズ設置ユニット等に夫々ユニット化して台板に組付け、この際に、前記画像設置ユニットにあっては透過画面捩じれを調整する機構を組込んだ本発明の液晶ディスプレイマルチ投影装置によれば、装置全体を小形化できる上に投影スクリーン上においては簡単に多くの投影面を精密に位置合せすることが可能となるので、大型化した液晶ディスプレイが実現できるという効果がある。」（第３頁右下欄第１２行〜第４頁左上欄第２行）
　
　刊行物４には、次の事項が記載されている。
「本発明はこの点を解決して改良した結果、読取装置を取外すことなくして書き込みユニットのみを画像形成装置に対し単独に着脱出来るよう構成したデジタル画像形成装置の提供を目的としたものである。」（第２頁左上欄第８〜１２行）
「本発明によって装置本体に対する書込みユニット部分の着脱作業が極めて簡易なものとなり、従って清掃や部品の点検、交換等の作業が行き届いて性能が良く画質の優れたデジタル画像形成装置が提供されることとなった。」（第３頁左下欄第１５〜１９行）
　
　刊行物５には、次の事項が記載されている。
「第１図および第２図において、図中１０はプロジェクタケースであり、このケース１０の前面には投影窓１１が開口されている。１２は前記ケース１０内に設けられた液晶表示ユニットである。この液晶表示ユニット１２は、ケース１０の底面に立設された支持板１３に、ケース前面の投影窓１１と対向させてＴＮ型（ツイステッド・ネマティック型）の透過型ドットマトリックス液晶表示パネル１４を設けるとともに、前記支持板１３に、液晶表示パネル１４の一側と上下に位置させて合計３枚の表示パネル駆動回路基板１５および１６，１６を設けたもので、液晶表示パネル１４の一側に設けられた１枚の回路基板１５はドットマトリックス液晶表示パネル１４の走査側電極を駆動する走査側駆動回路基板とされ、液晶表示パネル１４の上下に設けられた２枚の回路基板１６，１６はそれぞれドットマトリックス液晶表示パネル１４の信号側電極を駆動する信号側駆動回路基板とされている。これら回路基板１５および１６，１６は、それぞれフィルム状のヒートシールコネクタ１７，１７によって液晶表示パネル１４の端子配列部と接続されている。なお、前記支持板１３には、その表示パネル取付け部に、液晶表示パネル１４の表示画面１４ａより若干大きな開口（図示せず）が設けられている。１８は前記ケース１０内の後部に設けられた光源ランプ、１９は内面にコールドミラーを形成したリフレクタであり、この光源ランプ１８とリフレクタ１９は、ランプ冷却ファンを内蔵したランプ取付け台２０に取付けられている。また、前記光源ランプ１８は、光源をできるだけ明るくするために、ハロゲンランプまたはキセノンランプとされている。なお、２１はランプ電源ユニットである。２２は前記光源ランプ１８と液晶表示パネル１４との間に設けられたコンデンサレンズ、２３はこのコンデンサレンズ２２と液晶表示パネル１４との間に設けられたリレーレンズ（非球面レンズ）であり、このコンデンサレンズ２２とリレーレンズ２３はケース底面に固定されたレンズ支持台２４に取付けられている。また、２５は液晶表示パネル１４の前方に設けられた集光レンズ、２６はこの集光レンズ２５の前方に設けられた投影レンズであり、集光レンズ２５はケース底面に固定されたレンズ支持台２７に取付けられ、投影レンズ２６はケース底面に立設されたレンズ取付け板２８に嵌合されている。また、２９はケース１０内に設けられたリニア回路基板であり、このリニア回路基板２９は図示しないケーブルによって前記液晶表示ユニット１３の各表示パネル駆動回路基板１５および１６，１６と接続されている。このリニア回路基板２９は、テレビジョン電波の受信回路と音声増幅回路およびスピーカ等を備えた受信ユニット（図示しないが、プロジェクタのケース１０内に設けられるか、あるいはプロジェクタと別に用意される）と接続されている。一方、３０は前記光源ランプ２８と液晶表示パネル１４との間例えば光源ランプ１８とコンデンサレンズ２２との間に設けられた赤外線吸収フィルタであり、この赤外線吸収フィルタ３０はケース底面に立設したフィルタ取付け板３１に取付けられている。また、３２は前記液晶表示ユニット１２の側方に位置させてケース１０内に設けられた表示パネル冷却器である。この表示パネル冷却器３２は、ケース１０外に開口する吸気口３４を有する器体３３内に、送風ファン３５を設けたもので、前記器体３３の液晶表示ユニット１３と対向する前面には、外部から取入れられて送風ファン３５により送風される冷却空気を液晶表示ユニット１２の液晶表示パネル１４に向けてその側方から吹付ける扁平な冷却空気吹出口３６が設けられている。」（第４頁第９行〜７頁第１６行）
「また、この考案は、白黒表示タイプの液晶表示パネルを用いる白黒液晶プロジェクタにも、カラー液晶表示パネルを用いるカラー液晶プロジェクタにも適用することができる。
　
　刊行物６には、次の事項が記載されている。
「従来のビデオプロジェクターの構造は第２図に示されるように、長方形の液晶ライトバルブ制御回路基板１の中央部に液晶ライトバルブ４が搭載され、その上下にライトバルブ制御ＩＣ３が取り付けられ、ダイクロイックプリズム２を３方向から、取り囲んで組立てられていた。」（第１頁末行〜第２頁第５行）
「第１図は本考案における主要概観図である。液晶ライトバルブ制御回路基板１には液晶ライトバルブ４とライトバルブ制御ＩＣ３を搭載して電気的に接続してあるが、液晶ライトバルブ４は光の制御をし、ライトバルブ制御ＩＣは液晶ライトバルブ４の各画素をスイッチング制御する。またダイクロイックプリズム２は多方向から入ってくる光を一方向に集めて投写する。このダイクロイックプリズム２を取り囲んで３方面から３枚の液晶ライトバルブ制御回路基板１を相互に立体交差するように組立てる。組立てられたダイクロイックプリズム２と液晶ライトバルブ制御回路基板１に矢印Ｒからは赤色、矢印Ｇからは緑色、矢印Ｂからは青色の光線を当てる。液晶ライトバルブ４はライトバルブ制御ＩＣ３に制御され、光線は各画素ごとに制御される。さらにダイクロイックプリズム２によって赤緑青のそれぞれの光線は矢段Ｌ方向に集光され投写される。」（第３頁第３〜２０行）
　
（３−３）対比・判断
　引用発明に記載された「色分解する」、「赤反射ダイクロイックミラーと青反射ダイクロイックミラー」、「ダイクロイックミラー」、「色分解された光」、「赤色表示液晶パネル、緑色表示液晶パネル、青色表示液晶パネル」、「各液晶パネルによる映像から合成映像を得るダイクロイックプリズム」、「映像を投写する投写レンズ」、「各液晶パネルの駆動回路」及び「投写型カラー表示装置」は、それぞれ本件発明１の「３つの色光に分離する」、「複数のダイクロイックミラー」、「光分離手段」、「分離された色光」、「変調する複数の変調手段」、「変調手段によって変調された色光を合成するプリズム」、「光を投写する投写手段」、「変調手段の駆動を制御する駆動用制御回路」及び「プロジェクタ」に相当する。そうすると両者は、
「光源と、前記光源からの光を３つの色光に分離する複数のダイクロイックミラーを備えた光分離手段と、前記光分離手段により分離された色光をそれぞれ変調する複数の変調手段と、前記変調手段によって変調された色光を合成するプリズムと、前記プリズムにより合成された光を投写する投写手段と、前記変調手段の駆動を制御する駆動用制御回路と、を有するプロジェクタ」で一致し、
　本件発明１は、「内部に前記複数のダイクロイックミラーを備えた色分離手段が組み込まれ、前記投写手段を臨ませる窓が設けられたケース内に配置された導光管」を有し、「前記導光管は、前記色分離手段によって分離された３つの色光を３方向から出射するコ字形状部を有し、前記コ字形状部に囲まれた空所に前記光学ヘッドユニットを配置してなり、前記駆動用制御回路の一部は、前記光学ヘッドユニットと重ならないように、前記導光管の上に配置されてなる」のに対し、引用発明には、そのような記載がない点（以下、「相違点１」という。）
　本件発明１では、「複数の変調手段が側面に沿って配置された前記プリズムと前記投写手段とが板部材に支持されてなる光学ヘッドユニット」となっているのに対し、引用発明にはプリズムと投写手段は記載されているものの、プリズムと投写手段をユニットとすることの記載がない点（以下、「相違点２」という。）
　本件発明１では、「光学ヘッドユニットを空気によって冷却するファン」を有するのに対し、引用発明にはプリズムや投写手段を冷却するファンは記載されていない点（以下、「相違点３」という。）で相違する。
　
　そこで、上記相違点１〜３について検討する。
　まず、相違点１について検討する。
　刊行物２には刊行物１と同様複数のダイクロイックミラーを備えた色分離手段が記載されているが、色分離手段を組み込むための導光管は記載されていない。また、刊行物３〜６には色分離手段が記載されていないから当然色分離手段を組み込むための導光管も記載されていない。本件発明１は、色分離手段が組み込まれ、前記投写手段を臨ませる窓が設けられたケース内に配置された導光管を有し、前記導光管は、前記色分離手段によって分離された３つの色光を３方向から出射するコ字形状部を有し、前記コ字形状部に囲まれた空所に前記光学ヘッドユニットを配置してなり、前記駆動用制御回路の一部は、前記光学ヘッドユニットと重ならないように、前記導光管の上に配置されることにより明細書記載の効果を奏するものであるから、色分離手段を組み込むための導光管が記載されていない刊行物２〜６から相違点１の構成を当業者が容易に発明をすることができたとすることができない。
　したがって、他の相違点を検討するまでもなく本件発明１は刊行物１〜６に記載されたものから当業者が容易に発明をすることができたとすることができない。
　また、本件発明２は本件発明１をさらに限定したものであるから、上記本件発明１についての判断と同様の理由により当業者が容易に発明できたものではない。
　
（４）むすび
　以上のとおりであるから、特許異議申立ての理由及び証拠によっては、本件発明１、２についての特許を取り消すことはできない。
　また、他に本件発明１、２についての特許を取り消すべき理由を発見しない。
　したがって、本件発明１、２についての特許は拒絶の査定をしなければならない特許出願に対してされたものと認めない。
　よって、結論のとおり決定する。
【異議決定日】
平成１４年８月２６日（２００２．８．２６）
【訂正の要旨】
訂正事項ａ
　特許請求の範囲を「【請求項１】光源と、前記光源からの光を３つの色光に分離する複数のダイクロイックミラーを備えた光分離手段と、前記光分離手段により分離された色光をそれぞれ変調する複数の変調手段と、前記変調手段によって変調された色光を合成するプリズムと、前記プリズムにより合成された光を投写する投写手段と、前記変調手段の駆動を制御する駆動用制御回路と、を有するプロジェクタにおいて、内部に前記複数のダイクロイックミラーを備えた色分離手段が組み込まれ、前記投写手段を臨ませる窓が設けられたケース内に配置された導光管と、前記複数の変調手段が側面に沿って配置された前記プリズムと前記投写手段とが板部材に支持されてなる光学ヘッドユニットと、前記光学ヘッドユニットを空気によって冷却するファンと、を有し、前記導光管は、前記色分離手段によって分離された３つの色光を３方向から出射するコ字形状部を有し、前記コ字形状部に囲まれた空所に前記光学ヘッドユニットを配置してなり、前記駆動用制御回路の一部は、前記光学ヘッドユニットと重ならないように、前記導光管の上に配置されてなることを特徴とするプロジェクタ。
　【請求項２】　前記駆動用制御回路は、アナログ回路ユニットとデジタル回路ユニットとを含んでおり、前記アナログ回路ユニットと前記デジタル回路ユニットのうちいずれか一方が、前記導光管の上に配置されてなることを特徴とする請求項１記載のプロジェクタ。」と訂正する。
訂正事項ｂ
　明細書の段落【０００５】を「【課題を解決するための手段】本発明のプロジェクタは上記の目的を達成するために、光源と、前記光源からの光を３つの色光に分離する複数のダイクロイックミラーを備えた光分離手段と、前記光分離手段により分離された色光をそれぞれ変調する複数の変調手段と、前記変調手段によって変調された色光を合成するプリズムと、前記プリズムにより合成された光を投写する投写手段と、前記変調手段の駆動を制御する駆動用制御回路と、を有するプロジェクタにおいて、内部に前記複数のダイクロイックミラーを備えた色分離手段が組み込まれ、前記投写手段を臨ませる窓が設けられたケース内に配置された導光管と、前記複数の変調手段が側面に沿って配置された前記プリズムと前記投写手段とが板部材に支持されてなる光学ヘッドユニットと、前記光学ヘッドユニットを空気によって冷却するファンと、を有し、前記導光管は、前記色分離手段によって分離された３つの色光を３方向から出射するコ字形状部を有し、前記コ字形状部に囲まれた空所に前記光学ヘッドユニットを配置してなり、前記駆動用制御回路の一部は、前記光学ヘッドユニットと重ならないように、前記導光管の上に配置されてなることを特徴とする。また、前記駆動用制御回路は、アナログ回路ユニットとデジタル回路ユニットとを含んでおり、前記アナログ回路ユニットと前記デジタル回路ユニットのうちいずれか一方が、前記導光管の上に配置されてなることを特徴とする。
　【作用】本発明の実施形態においては、以下の構成が説明される。」と訂正する。
（５４）【発明の名称】
プロジェクタ
（５７）【特許請求の範囲】
　【請求項１】　光源と、前記光源からの光を３つの色光に分離する複数のダイクロイックミラーを備えた光分離手段と、前記光分離手段により分離された色光をそれぞれ変調する複数の変調手段と、前記変調手段によって変調された色光を合成するプリズムと、前記プリズムにより合成された光を投写する投写手段と、前記変調手段の駆動を制御する駆動用制御回路と、を有するプロジェクタにおいて、内部に前記複数のダイクロイックミラーを備えた色分離手段が
組み込まれ、前記投写手段を臨ませる窓が設けられたケース内に配置された
ヘッド
　【請求項２】　前記駆動用制御回路は、アナログ回路ユニットとデジタル回路ユニットとを含んでおり、前記アナログ回路ユニットと前記デジタル回路ユニットのうちいずれか一方が、前記導光管の上に配置されてなることを特徴とする請求項１記載のプロジェクタ。
【発明の詳細な説明】
　【０００１】
　【発明の属する技術分野】
　本発明は複数の変調手段を画像形成に用い、レンズで拡大投写して大画面表示を行うプロジェクタに関するものである。
　【０００２】
　【従来の技術】
　赤・緑・青の光を各々制御する３枚の液晶ライトバルブを用いてこれら３成分の光を合成し、その合成された光をレンズを通して拡大投写するいわゆる液晶プロジェクタが知られている（例えば特開昭６０−１７９７２３号公報・特開昭６１−１５０４８７号公報）。
　【０００３】
　【発明が解決しようとする課題】
　上記従来の液晶プロジェクタは、赤・緑・青色光の混色合成を複数のダイクロイックミラーによって行うことにより装置の小型軽量化を図っているが、ダイクロイックミラーの設置にスペースを取られるので、ＣＲＴを用いたビデオプロジェクタに比べればはるかに小さいけれども、十分小型化されるには至っていない。本出願人は先に、小型コンパクト化した液晶プロジェクタを得るために、複数のダイクロイックミラーを用いる代わりに１個のダイクロイックミラープリズムで混色合成を行うと共に、投写光源と各液晶ライトバルブの光路長を、強度の大きい色光を最も長く、強度の小さい色光を最も短くなるように構成し、さらに３枚のうち１枚の液晶ライトバルブのみ左右反転した表示を行うように制御することを提案している。
　【０００４】
　本発明は上記の構成を元にして、その周辺の関連部材の配置に工夫を加えることにより、さらに小型コンパクトに構成され、しかも操作性・耐久性・メンテナンス性に優れた液晶プロジェクタを提供しようとするものである。
　【０００５】
　【課題を解決するための手段】
　本発明のプロジェクタは上記の目的を達成するために、光源と、前記光源からの光を３つの色光に分離する複数のダイクロイックミラーを備えた光分離手段と、前記光分離手段により分離された色光をそれぞれ変調する複数の変調手段と、前記変調手段によって変調された色光を合成するプリズムと、前記プリズムにより合成された光を投写する投写手段と、前記変調手段の駆動を制御する駆動用制御回路と、を有するプロジェクタにおいて、内部に前記複数のダイクロイックミラーを備えた色分離手段が
組み込まれ、前記投写手段を臨ませる窓が設けられたケース内に配置された
ヘッド
　【作用】
　本発明の実施形態においては、以下の構成が説明される。
　【０００６】
　また、前記光学ヘッドユニットの下方には、前記光学ヘッドユニットを冷却するファンが配置されていることを特徴とする。
　【０００７】
　また、前記駆動用制御回路は、アナログ回路ユニットとデジタル回路ユニットとを含んでおり、前記アナログ回路ユニットと前記デジタル回路ユニットのうちいずれか一方が、前記ライトガイドの上面に配置されてなることを特徴とする。
　【作用】
　本発明の実施形態においては、以下の構成が説明される。
　【０００８】
　直方体のケース内にベースプレートを設け、そのベースプレート上に、投写光源を持つランプハウジングユニットと、光分離手段を内蔵したライトガイドユニットと、画像形成用液晶ライトバルブ・光合成プリズムおよび投写レンズを組み合わせた光学ヘッドユニットとを、主光路が平面視Ｌ形となるように配置して、投写レンズをケース正面の窓に、ランプハウジングユニットをケース背面の開口に臨ませたものである。
　【０００９】
　そしてケースの一方の側面とランプハウジングユニットの間に電源ユニットを、またケースの他方の側面とライトガイドユニットの間に駆動用制御回路ユニットを配置し、光学ヘッドユニットの下に光学ヘッドユニット冷却用ファンを、またＬ形主光路の形成によって生じたライトガイドユニットとランプハウジングユニットとケースの正面およびその一方の側面とによって囲まれる空所にランプハウジングユニット冷却用ファンを設ける。
　【００１０】
　上記ランプハウジングユニット・ライトガイドユニット・光学ヘッドユニット・電源ユニット・駆動用制御回路ユニットは、ベースプレートに対し別個に着脱可能に設ける。
　【００１１】
　駆動用制御回路ユニットは、アナログ回路ユニットとデジタル回路ユニットに分離し、そのいずれか一方の回路ユニットをライトガイドユニットの上面に配置する。
　【００１２】
　またランプハウジングユニットは、ベースプレートに固定のアウタハウジング内に位置決め支持されていて、ランプハウジングユニットをケース背面の開口を通して出し入れできるように構成したことを特徴としている。
　【００１３】
　投写光源（白色光）から出てライトガイドユニットに導かれた光は、該ユニット内で赤・緑・青の３原色に分離され、各色光はそれぞれの液晶ライトバルブを透過する際、各液晶ライトバルブに入力される各色ごとのビデオ信号によって変調される。
　【００１４】
　そして上記変調制御された各色光はプリズムによって混色合成されると同時に、レンズに導かれ、レンズを通してスクリーンに拡大投写される。
　【００１５】
　ケース正面の窓に臨んでいる投写レンズを回して進退させることにより焦点合わせを行う。
　【００１６】
　光学ヘッドユニットの下方にあるファンによって液晶ライトバルブおよびプリズムが冷却される。
　【００１７】
　またランプハウジングユニット寄りに設けたファンによってランプハウジングユニットが冷却される。その冷却風はランプハウジングユニットの側方にある電源ユニットの方にも送られて電源ユニットの過熱を防ぐ。
　【００１８】
　液晶ライトバルブ駆動用制御回路ユニットは、電源ユニット・ランプハウジングユニット等と反対側に配置されていることにより熱影響を受けない。さらに上記制御回路ユニットは、アナログ回路ユニットとデジタル回路ユニットに分離されていることにより、該ユニット相互の干渉が避けられ、ノイズが減る。
　【００１９】
　投写光源ランプの交換は、ケース背面の開口からランプハウジングユニットごと取り出して行う。
　【００２０】
　ランプ交換後、ランプハウジングユニットを開口内に納めると、ランプハウジングユニットはアウタハウジングの中に正しく位置決めされる。
　【００２１】
　ランプハウジングユニットを始めとする各構成ユニットのメンテナンスは、ケースを開き、各ユニットごとにベースプレートから外して行うことができる。
　【００２２】
　【発明の実施の形態】
　以下本発明の液晶プロジェクタの実施例を図面について説明する。
　【００２３】
　図１は本発明による液晶プロジェクタの外観斜視図で略直方体のケース１の中にすべての部品が機能ごとにユニット化されて収容されている。
　【００２４】
　直方体ケース１は図２に示すように、底板１Ａと正面板１Ｂと背面板１Ｃと、両側板と一体の天板１Ｄとに分離可能に形成されている。底板１Ａの下面の前部に、投写方向の上下調節を行うためのねじ付脚２が左右一対設けられている。また後述の光学ヘッドユニットの下方に位置する部分に換気スリット３が開いている。
　【００２５】
　正面板１Ｂの中央から左右方向のやや片側に寄った位置にレンズ窓４が開いており、その窓４は、横方向に動くスライド式のカバー板５で覆われ、カバー板５は投写するとき横に逃がす。また正面板１Ｂの中央部には画像および音声等の各種調整用ノブ６が設けられている。背面板１Ｃの中央からやや前記正面板１Ｂのレンズ窓４が開いている側と反対側に寄った位置にランプハウジングユニット出し入れ用開口７が開いており、その開口７は後述のランプハウジングユニットに一体に設けたパネルで覆われる。
　【００２６】
　また背面板１Ｃには図３に示すように、電源接続用コンセント８、電源入切スイッチのノブ９、各種信号入力端子１０が設置されている。
　【００２７】
　図２に示すように天板１Ｄと底板１Ａの各コーナー部その他に、位置決め用のピン脚１１と受筒１２が上下対応して設けられており、このピン脚１１と受筒１２をはめ合わせて組み付けた天板１Ｄと底板１Ａの前後に正面板１Ｂおよび背面板１Ｃをそれぞれはめ付け、ビス等で固定することによってケース１が組み立てられる。天板１Ｄの中央より電源部側に寄った位置に換気スリット１３が広い範囲にわたって設けられている。この換気スリット１３の下にスピーカが取り付けられるが図には省略されている。
　【００２８】
　底板１Ａの上にベースプレート１４が取り外しできるようにビス等で取り付けられている。
　【００２９】
　上記ベースプレート１４の上に、ランプハウジングユニット１５とライトガイドユニット１６と光学ヘッドユニット１７を、主光路が平面から見てＬ形となるように配置し（図９参照）、光学ヘッドユニット１７の投写レンズ１８がケース正面の窓４に、ランプハウジングユニット１５がケース背面の開口７に臨むように構成されている。
　【００３０】
　また電源ユニット１９がランプハウジングユニット１５より外側に、駆動用制御回路ユニット２０がライトガイドユニット１６より外側にそれぞれ配置されていて、上記ランプハウジングユニット１５・ライトガイドユニット１６・光学ヘッドユニット１７・電源ユニット１９および駆動用制御回路ユニット２０は、別々にベースプレート１４に対し着脱できるように構成されている。
　【００３１】
　上記駆動用制御回路ユニット２０は、アナログ回路の部分とデジタル回路の部分とを含むが、両回路は分離してそれぞれユニット化されており、いずれか一方の回路ユニット２０１はライトガイドユニット１６の上面に配置されている。
　【００３２】
　そして光学ヘッドユニット１７の下方でベースプレート１４に平形のプロペラファン２１が取り付けられており、ケース底板１Ａの換気スリット３から吸い込んだ外気を光学ヘッドユニット１７に吹き付け、特にライトバルブの偏光板を冷却する。また主光路がＬ形になるように各ユニットを配置した結果形成された、ライトガイドユニット１６とランプハウジングユニット１５とケース１の一方の側面１Ｅおよび正面１Ｂとによって囲まれる空所Ｓ（図９参照）において、ベースプレート１４にシロッコファン２２が取り付けられており、ランプハウジングユニット１５が発する熱を、そのユニット１５の近傍から吸い込んだ外気の流れに乗せて天板１Ｄの換気スリット１３から強制排気する。電源ユニット１９の熱および前記光学ヘッドユニット１Ｔを冷やして温まった空気も同時に排気する。
　【００３３】
　図４はランプハウジングユニット１５と該ユニット１５を収容支持するアウタハウジング２３の外観斜視図である。アウタハウジング２３はベースプレート１４に固定されていて、その背面の開口２４がケース背面板１Ｃの開口７と対面している。
　【００３４】
　ランプハウジングユニット１５は図４および図５の分解斜視図に示すように、箱形フレーム２５Ａ・２５Ｂの中にハロゲンランプを可とする投写光源ランプ２６を支持している。２７はリフレクタで、熱対策としてコールドミラー付および明るさを向上する目的でマルチミラーリフレクタが用いられる。２８はランプソケット、２９はランプ取り外し用エジェクタ、３０は箱形フレーム２５Ｂの光路方向正面側に設けた導光筒、３１は箱形フレーム２５Ｂのシロッコファン２２の側の面に設けた導風筒、３２は箱形フレーム２５Ａ・２５Ｂのケース背面側の面に一体に設けたパネル部である。そのパネル部３２はケース背面の開口７より大きくて、ランプハウジングユニット１５を開口７からアウタハウジング２３に収めると、開口７はランプハウジングユニット１５のパネル部３２によって覆われる。３３は上記パネル部３２に一体に設けたつまみで、そのつまみ３３をつまんでランプハウジングユニット１５の出し入れをする。３４はケース１に対するランプハウジングユニット１５のロック部材で、そのロック部材操作用ノブ３４Ａは上記つまみ３３の中央に位置している。
　【００３５】
　ランプハウジングユニット１５はアウタハウジング２３に対し点接触で支持され、出し入れの際の摩擦抵抗を少なくし、且つ位置決め精度を向上させている。アウタハウジング２３に対するランプハウジングユニット１５の位置決め、すなわち投写光源ランプ２６の位置は、ランプハウジングユニット１５の箱形フレーム２５Ｂの外面と、アウタハウジング２３の内面に相対的に設けた光路方向に対する前後方向・上下方向および左右方向の各方向に作用する３個のばね３５（図５および図７参照）によって決められる。
　【００３６】
　上記アウタハウジング２３にも、図４・図６に示すように前記ランプハウジングユニット１５の導光筒３０に連なる導光筒３６が設けられている。両導光筒３０・３６共に内面は鏡面に仕上げられていて、明るさ並びに冷却効率の向上を図っている。
　【００３７】
　さらにランプハウジングユニット１５をアウタハウジング２３に収めると該ユニット１５はあたかも二重構造となり、パネル部３２に設けたスリット３７から吸い込まれてランプハウジングユニット１５とアウタハウジング２３の間の隙間を流れる外気の流速が高められ、またスリット３７から入った外気の一部は、前記導風筒３１の案内作用によって光源ランプ２６の周囲を正確に流れるのでランプハウジングユニット１５は十分冷却される。従ってランプ２６の寿命が永く、ケース１の過熱がない。３８は万が一過熱したときの安全のために設けた電源遮断用の温度ヒューズである。
　【００３８】
　アウタハウジング２３の導光筒３６の光源ランプ側端面に熱線カットフィルタ３９を重ねて押さえプレート４０で固定している。導光筒３６の光源ランプと反対側の端面にはマスク４１が形成されている。４２は前記ランプハウジングユニット１５のランプソケット２８が接触して通電するコネクタである。
　【００３９】
　図８はライトガイドユニット１６と光学ヘッドユニット１７の外観斜視図である。
　【００４０】
　ライトガイドユニット１６は、平面視コ字形の上下一対の枠板４４・４５と内外の側板４６・４７とによって管状に形成された導光管内にダイクロイックミラー系を組み込んだものである。上記導光管の内面は鏡面仕上げして反射率を高め、明るさの低下を抑止している。
　【００４１】
　ダイクロイックミラー系は、図９に示すように、光源２６側から青色反射ダイクロイックミラー４８・緑色反射ダイクロイックミラー４９および通常の反射ミラー５０の順に配置し、さらに青色反射ダイクロイックミラー４８および最も離れた位置にある反射ミラー５０の各々に対応させて反射ミラー５１・５２を設け、青色反射ダイクロイックミラー４８で反射変向した青色光、および反射ミラー５０で反射変向した赤色光をそれぞれ内方向に変向させるようにしている。色の分離順を以上のように設定すると、青色光の光路長が短く、赤色光の光路長が長くなって、明るさ・色再現性・色バランスを向上させる。
　【００４２】
　上記平面視コ字形のライトガイドユニット１６の中央の空所に光学ヘッドユニット１７が配置され、光合成プリズム５３およびそのプリズム５３の３面に各々配置した液晶ライトバルブ５４・５５・５６が、ライトガイドユニット１６のダイクロイックミラー系で色分離された青色光・緑色光および赤色光の各光路に合致している。
　【００４３】
　液晶ライトバルブ５４・５５・５６は、ドライバー内蔵のアクティブマトリクス液晶パネルで、それぞれ青色信号・緑色信号・赤色信号を変調する。
　【００４４】
　プリズム５３は、４個の直角プリズムの直角を、はさむ二つの面を互いに貼り合わせて波長選択反射層（青色反射面５７と赤色反射面５８）が直交するように構成したダイクロイックプリズムである。
　【００４５】
　図９を参照して光の分離・合成を説明すると、青色反射ダイクロイックミラー４８は青色光を反射し、その他の色光を透過させる。反射した青色光は反射ミラー５１によって方向を変え、青色変調液晶ライトバルブ５４に入る。
　【００４６】
　青色反射ダイクロイックミラー４８を透過した色光は緑色反射ダイクロイックミラー４９に入射し、そのミラー４９は緑色光のみを反射し、その他の色光である赤色光を透過させる。反射した縁色光は直進して緑色変調液晶ライトバルブ５５に入射する。
　【００４７】
　緑色反射ダイクロイックミラー４９を透過した赤色光は反射ミラー５０で方向を変え、さらに次の反射ミラー５２で方向を変えて赤色変調液晶ライトバルブ５６に入射する。
　【００４８】
　各液晶ライトバルブ５４・５５・５６で変調された色光のうち、青色光はプリズム５３の青色反射面５７で反射し、また赤色光はプリズム５３の赤色反射面５８で反射し、緑色光はプリズム５３をまっすぐ透過して混色合成され、レンズ１８に入って一つのカラー画像となってスクリーンに拡大投写される。
　【００４９】
　上記の構成によると、青色変調液晶ライトバルブ５４と赤色変調液晶ライトバルブ５６で得られた各画像情報は、それぞれプリズム５３の反射面５７・５８で左右反転させられるのに対し、緑色変調液晶ライトバルブ５５による画像情報は左右反転しないので、駆動ドライバー回路を緑色変調液晶ライトバルブ５５のみを左右反転した表示をするように構成することによって合成画像の表示を一致させている。
　【００５０】
　図１０は光学ヘッドユニット１７の具体的構成を示す分解斜視図である。上下および前後の板５９・６０・６１・６２を組み合わせて構成される左右が開いた箱形枠の中央にダイクロイックプリズム５３を、前後・左右および上下にそれぞれ作用する３個のばね６３（図は１個のみ表示）によって位置決め支持している。
　【００５１】
　上記箱形枠の前板６１の前面の開口６１Ａに合わせてレンズ１８を取り付け、箱形枠の左右の開口部および背板６２の後に、青色変調液晶ライトバルブ５４、赤色変調液晶ライトバルブ５６および緑色変調液晶ライトバルブ５５が、それぞればね６４を介して上下・左右・前後の光軸調整可能に取り付けられている。
　【００５２】
　各液晶ライトバルブ５４・５５・５６は、前後一対の支持板６５・６６の間に絶縁シート６７・偏光板（不図示）等と共に挟持されており、液晶ライトバルブと前後の板の間には若干の隙間を置いている。さらに外側となる各支持板６５の下辺に外方に開いたはかま形の整流部６５Ａが設けられており、図１１の拡大縦断面図に示すように、光学ヘッドユニット１７の下方に置かれたファン２１がケース１内に吸い込んだ外気を逃がすことなく各液晶ライトバルブ５４・５５・５６に誘導して冷却効果を上げている。すなわち液晶ライトバルブを支持している板部材自身に冷却風の整流機能を持たせている。
　【００５３】
　本実施例の液晶プロジェクタは上述の構成としたから、少なくとも３枚のカラー画像形成用液晶ライトバルブを用い、混色合成した画像をレンズで拡大投写して大画面の表示を行うのに必要なランプハウジングユニット、ライトガイドユニット、ライトバルブ・光合成プリズム・投写レンズから成る光学ヘッドユニット、およびランプハウジング冷却用ファン並びに光学ヘッドユニット特に偏光板冷却用ファン等が直方体のケースの中にコンパクトに収まり、冷却効率がよくて画質を向上させる。また携行も可能である。
　【００５４】
　上記各機能ユニット並びに電源ユニット・駆動用制御回路ユニットをケース内のベースプレートに対し、個々に着脱できる構成であるから、生産時の組み立てが簡単能率的で生産性が向上する。また各ユニットごとのメンテナンス・交換が容易である。
　【００５５】
　駆動用制御回路ユニットが電源ユニットおよびランプハウジングユニット等の発熱部から離れているので、駆動用制御回路ユニットは熱影響を受けることがない。
　【００５６】
　またその駆動用制御回路ユニットはアナログ回路ユニットとデジタル回路ユニットに分けて配置するので、相互干渉がなくてノイズ発生がない。
　【００５７】
　投写光源ランプはしばしば交換するが、その場合ケースを開くことなくランプハウジングユニットごとケース内に固定のアウタハウジングから外に引き出してランプ交換できるので煩わしさがない。
　【００５８】
　またランプハウジングユニットをアウタハウジングに入れると位置決めされるので、あとから光軸調整する必要がないもので、操作性に優れている。
　【００５９】
　【発明の効果】
　以上のように本発明のプロジェクタによれば、駆動用制御回路の一部が光学ヘッドユニットと重ならないようにライトガイドの上面に配置されているので、光学ヘッドユニットを効率良く冷却することができる。
【図面の簡単な説明】
　【図１】
　本発明による液晶プロジェクタの外観斜視図。
　【図２】
　ケースを分解して示す斜視図。
　【図３】
　背面側から見た外観斜視図。
　【図４】
　ランプハウジングユニットをアウタハウジングから取り出した状態の斜視図。
　【図５】
　ランプハウジングユニットの分解斜視図。
　【図６】
　アウタハウジングの分解斜視図。
　【図７】
　アウタハウジングをランプハウジングユニット出し入れ側の面から見た図。
　【図８】
　ライトガイドユニットと光学ヘッドユニットの外観斜視図。
　【図９】
　ケース内における各ユニットの配置並びに光路の慨略を説明する平面図。
　【図１０】
　光学ヘッドユニットの分解斜視図。
　【図１１】
　光学ヘッドユニットの要部の拡大縦断正面図。
　【符号の説明】
　１・・・直方体ケース
　１Ａ・・・底板
　１Ｂ・・・正面板
　１Ｃ・・・背面板
　１Ｄ・・・天板
　１Ｅ・１Ｆ・・・側面
　４・・・正面の窓
　７・・・背面の開口
　１４・・・ベースプレート
　１５・・・ランプハウジングユニット
　１６・・・ライトガイドユニット
　１７・・・光学ヘッドユニット
　１８・・・投写レンズ
　１９・・・電源ユニット
　２０・・・駆動用制御回路ユニット
　２１・・・光学ヘッドユニット冷却用ファン
　２２・・・ランプハウジングユニット冷却用ファン
　２３・・・ランプハウジングユニットのアウタハウジング
　２６・・・投写光源
　５３・・・光合成ブリズム
　５４・５５・５６・・・液晶ライトバルブ
　Ｓ・・・空所